(57)【特許請求の範囲】
【請求項１】
系統連系スイッチを介して電力系統と接続された負荷と並列に接続された電力変換装置であって、前記電力系統の電圧を検出する系統電圧検出手段と、前記電力系統と連系運転を行う電力変換器と、前記電力変換器の直流側に接続された直流電源と、前記電力系統の異常を検出して前記系統連系スイッチに開放指令を与える手段と、前記系統連系スイッチに流れる電流を検出するスイッチ電流検出手段と、前記電力変換器の出力電圧を制御するオフアシスト制御手段が設けられた電力変換装置において、
前記オフアシスト制御手段は、
前記スイッチ電流検出手段によって得られた前記系統連系スイッチに流れる電流の極性を判定する極性判定部と、
前記極性判定部の判定した電流の極性に基づいて、前記電力変換器の出力可能な最大電圧値を超えないように、前記電力変換器の出力可能な最大電圧値に０から１までの範囲の所定の実数であるオフアシスト制御係数を掛け合わせて乗算値を求め、この乗算値と前記系統電圧検出手段にて検出した系統電圧検出値とを加算してオフアシスト電圧指令値を生成するオフアシスト電圧指令値生成部と、
前記電力変換器の出力点から前記系統連系スイッチまでの逆関数を、前記オフアシスト電圧指令値生成部にて生成した前記オフアシスト電圧指令値に乗算して前記電力変換器の出力電圧指令とする逆関数部から構成されたことを特徴とする電力変換装置。
【請求項２】
前記スイッチ電流検出手段によって得られた前記系統連系スイッチに流れる電流の値が、予め設定された所定値よりも小さくなった場合に前記系統連系スイッチがオフしたことを検出する前記系統連系スイッチのオフ状態検出手段と、
前記電力変換器の出力電圧指令値に関して、オフアシスト制御時の出力電圧指令値と、前記電力変換器が自立運転するための出力電圧指令値とに切替変更する出力電圧指令値変更手段が設けられ、
前記出力電圧指令値変更手段は、前記系統連系スイッチのオフ状態検出手段が前記系統連系スイッチのオフ状態を検出する時、前記電力変換器の出力電圧指令値を、オフアシスト制御時の出力電圧指令値から前記電力変換器が自立運転するための出力電圧指令値に変更するように構成されたことを特徴とする請求項１に記載の電力変換装置。
【請求項３】
系統連系スイッチを介して電力系統と接続された負荷と並列に接続された電力変換装置であって、前記電力系統の電圧を検出する系統電圧検出手段と、前記電力系統と連系運転を行う電力変換器と、前記電力変換器の直流側に接続された直流電源と、前記電力系統の異常を検出して前記系統連系スイッチに開放指令を与える手段と、前記系統連系スイッチに流れる電流を検出するスイッチ電流検出手段と、前記電力変換器の出力電圧を制御するオフアシスト制御手段が設けられた電力変換装置において、
前記オフアシスト制御手段は、
前記スイッチ電流検出手段によって得られた前記系統連系スイッチに流れる電流信号を入力し、当該電流信号と予め定められた電流基準信号とを比較することによりオフアシスト電圧指令値を生成するオフアシスト電圧指令値生成部と、
前記電力変換器の出力点から前記系統連系スイッチまでの逆関数を、前記オフアシスト電圧指令値生成部にて生成した前記オフアシスト電圧指令値に乗算して前記電力変換器の出力電圧指令とする逆関数部から構成されたことを特徴とする電力変換装置。
【請求項４】
前記系統連系スイッチがオフした相の情報を出力するオフ相情報出力手段と、
前記電力変換器の出力電圧指令値に関して、オフアシスト制御時の出力電圧指令値と、零電圧指令値とに切替変更する出力電圧指令値変更手段が設けられ、
前記出力電圧指令値変更手段は、前記オフ相情報出力手段の出力する情報に基づいて、前記系統連系スイッチがオフした相に対しては前記電力変換器の出力電圧指令値を、オフアシスト制御時の出力電圧指令値から零電圧指令値に変更するように構成されたことを特徴とする請求項１〜３のいずれか１項に記載の電力変換装置。
【請求項５】
前記系統連系スイッチがオフした相の情報を出力するオフ相情報出力手段と、
前記電力変換器の出力電圧指令値に関して、オフアシスト制御時の出力電圧指令値と、前記電力変換器が自立運転するための出力電圧指令値とに切替変更する出力電圧指令値変更手段が設けられ、
前記出力電圧指令値変更手段は、前記オフ相情報出力手段の出力する情報に基づいて、前記系統連系スイッチがオフした相に対しては前記電力変換器の出力電圧指令値を、オフアシスト制御時の出力電圧指令値から前記電力変換器が自立運転するための出力電圧指令値に変更するように構成されたことを特徴とする請求項１〜３のいずれか１項に記載の電力変換装置。
【請求項６】
前記系統連系スイッチに開放指令を与える手段が前記系統連系スイッチのオフ指令を受信した時点で、前記オフアシスト制御手段によるオフアシスト制御モードを開始させる制御モード切替手段が設けられたことを特徴とする請求項１〜５のいずれか１項に記載の電力変換装置。
【発明の詳細な説明】
【技術分野】
【０００１】
本発明は、系統連系スイッチを介して電力系統に接続された負荷に対して並列に接続された電力変換装置に係り、特に、電力系統の異常検出時に系統連系スイッチを安全に開放するためのオフアシスト制御機能を備えた電力変換装置においてオフアシスト制御中の負荷電圧変動を抑制する技術に関するものである。
【背景技術】
【０００２】
一般に、電力系統に対して系統連系スイッチを介して接続された負荷には、電力変換装置が並列に接続されている。この電力変換装置は、電力系統に電圧低下や停電等の異常が発生した場合に、系統連系スイッチを高速遮断して電力系統から負荷を切り離して、異常発生による負荷への悪影響を抑えると共に、直流電源電圧を交流に変換して負荷に電力供給を行い負荷の停電を防いでいる。
【０００３】
電力系統の異常を検出した時、系統連系スイッチを安全且つ高速に開放するには、系統連系スイッチに流れる電流を検出し、この電流を減少させるように制御することが重要である。特に、系統連系スイッチがサイリスタ等のように自己消弧能力を持たない電力用半導体素子であれば、そこに流れる電流が零とならないと、系統連系スイッチをオフすることはできない。そこで、電力系統の異常を検出した際、系統連系スイッチに流れる電流を高速に零とするように電力変換装置の出力電圧を制御している。このような制御をオフアシスト制御と呼んでいる（例えば、特許文献１参照）。
【０００４】
ここで、特許文献１で示すオフアシスト制御を実施するための手段を具備した電力変換装置について、図６のブロック図を参照して具体的に説明する。
【０００５】
（全体構成）
図６に示すように、電力変換装置４は、系統連系スイッチ３を介して電力系統１に接続された負荷２と並列に接続されており、電力変換器７を有する電力変換部４０と、前記電力変換器７の出力電圧を制御する変換器制御回路２３と、パルス制御回路２２とから構成されている。なお、オフアシスト制御を司る手段は、変換器制御回路２３の中にオフアシスト制御回路１５として組み込まれているので、これについては変換器制御回路２３の部分で説明する。パルス制御回路２２は、電力変換部４０と変換器制御回路２３との間に設けられ、電力変換器７の出力電圧が、変換器制御回路２３側で生成された出力電圧指令値２７に基づく値になるように、電力変換器７を構成する電力用半導体素子のスイッチングパターンを決定して、これらの素子にゲートパルスを供給するようになっている。
【０００６】
また、電力系統１と系統連系スイッチ３との間には、電力系統１の電圧を検出する電圧検出器９が接続され、系統連系スイッチ３と負荷２との間には系統連系スイッチ３に流れる電流を検出する電流検出器１０と、負荷２の電圧を検出する電圧検出器１１が接続されている。各検出器９〜１１の検出結果はそれぞれ、系統電圧信号２４、系統連系スイッチ電流信号２６、負荷電圧信号２５となって、前記変換器制御回路２３に与えられる。
【０００７】
（電力変換部４０）
次に、電力変換部４０について説明する。電力変換部４０は、系統連系スイッチ３を介して電力系統１に接続された負荷２と並列に接続される。電力変換部４０は、変圧器５、フィルタ回路６、電力変換器７及び直流電源８から構成されている。このうち、変圧器５は電力変換器７の出力電圧を電力系統１の電圧に合わせるためのものである。
【０００８】
また、フィルタ回路６はリアクトルとコンデンサから成る。電力変換器７は電力用半導体素子をブリッジ接続して成る。以上のような電力変換部４０では、直流電源８から供給される直流を、電力変換器７で交流に変換し、フィルタ回路６及び変圧器５を介して負荷２に電力を供給するようになっている。
【０００９】
（変換器制御回路２３）
続いて、変換器制御回路２３に関して説明する。変換器制御回路２３は、各検出器９〜１１からそれぞれ、系統電圧信号２４、系統連系スイッチ電流信号２６、負荷電圧信号２５を入力すると共に、系統連系スイッチ３へ系統連系スイッチオンオフ指令２９を出力し、さらに、電力変換器７の出力電圧指令値２７を生成して、これをパルス制御回路２２に与える回路である。
【００１０】
また、変換器制御回路２３には、次の７つの回路が設けられている。すなわち、系統事故検出回路１２、サイリスタ制御回路１３、系統連系スイッチオフ状態検出回路１４、オフアシスト制御回路１５、系統連系運転制御回路１９、自立運転制御回路２０、制御モード切替回路２１である。このうち、系統事故検出回路１２は、電圧検出器９の検出した系統電圧信号２４を入力し、この電圧信号２４に基づいて系統電圧の低下による系統事故の発生を検出して、系統事故信号２８を出力するものである。
【００１１】
サイリスタ制御回路１３は、系統連系スイッチ３へ系統連系スイッチオンオフ指令２９を出力する回路であって、所定の操作により連系スイッチオン指令を受信した場合には系統連系スイッチオンオフ指令２９はオンとされ、系統事故検出回路１２の出力した系統事故信号２８を受信した場合には系統連系スイッチオンオフ指令２９はオフとされる。
【００１２】
系統連系スイッチオフ状態検出回路１４は、各検出器９〜１１からそれぞれ系統電圧信号２４、負荷電圧信号２５及び系統連系スイッチ電流信号２６を入力し、系統連系スイッチ３がオフしたことを検出する部分であり、系統連系スイッチ３のオフ状態を検出すると系統連系スイッチオフ状態信号３０を出力するようになっている。
【００１３】
オフアシスト制御回路１５は、電流検出器１０の検出した系統連系スイッチ電流信号２６を入力し、系統連系スイッチ３に流れる電流を零とするように電力変換器７の出力電圧を制御する回路、つまりオフアシスト制御手段であって、負荷電圧の過渡状態における変化を緩和する役割を担っている。このオフアシスト制御回路１５によって制御されている状態をオフアシスト制御モードという。
【００１４】
また、系統連系運転制御回路１９は電力変換器７が電力系統１との連系運転を行うように電力変換器７の出力電圧を制御するための回路である。さらに、自立運転制御回路２０は電力変換器７が自立運転するように電力変換器７の出力電圧を制御する回路である。前記系統連系運転制御回路１９によって制御されている状態を系統連系制御モード、また自立運転制御回路２０によって制御されている状態を自立運転制御モードという。
【００１５】
制御モード切替回路２１は、系統事故信号２８と系統連系スイッチオフ状態信号３０の状態に応じて、前記３つの制御モード、つまりオフアシスト制御回路１５によるオフアシスト制御モード、系統連系運転制御回路１９による系統連系制御モード、及び、自立運転制御回路２０による自立運転制御モードを切り替えるための切替器であって、パルス制御回路２２に与える出力電圧指令値２７を、各制御モードに対応した値に選択するようになっている。
【００１６】
続いて、図６の構成を有する電力変換装置４の動作について、図７のタイムチャートを参照して説明する。図７に示すように、時刻ｔ0の時点で電力系統１にて系統事故が発生した場合、電圧検出器９の検出する系統電圧信号２４の値が所定値よりも低下するので、系統事故検出回路１２はサイリスタ制御回路１３及び制御モード切替回路２１に系統事故信号２８を出力する。
【００１７】
系統事故検出回路１２から系統事故信号２８を受けたサイリスタ制御回路１３は、系統連系スイッチ３に対し連系スイッチオンオフ指令２９によるオフ指令を出力する。これにより、系統連系スイッチ３はオフ動作を開始する。また、系統事故信号２８を受信した制御モード切替回路２１は、系統連系制御モードからオフアシスト制御モードに切り替える。その結果、パルス制御回路２２に与えられる出力電圧指令値２７は、オフアシスト制御モード時の出力電圧指令値となり、この出力電圧指令値２７に基づいて電力変換器７の出力電圧を制御し、系統連系スイッチ３に流れる電流が零近傍まで減少する。
【００１８】
系統連系スイッチオフ状態検出回路１４は、時刻tにおいて系統連系スイッチ電流信号２６が所定値以下になったこと、または系統電圧信号２４と負荷電圧信号２５の差から求められる系統連系スイッチ３の両端電圧差が規定値以上であること、あるいは、信頼性向上のために両者のＡＮＤ条件を取ることによって、系統連系スイッチ３が完全にオフ状態となったことを検出する。そして、系統連系スイッチオフ状態信号３０を制御モード切替回路２１に出力する。
【００１９】
系統連系スイッチオフ状態検出回路１４が出力した系統連系スイッチオフ状態信号３０を入力した制御モード切替回路２１は、オフアシスト制御回路１５によるオフアシスト制御モードを、自立運転制御回路２０による自立運転制御モードに切り替える。このモード切替により、パルス制御回路２２に与えられる出力電圧指令値２７は自立運転制御モード時の出力電圧指令値となるため、負荷電圧を回復させる。なお通常、このモード切替時の自立運転制御モードに対応する出力電圧指令値２７は、電力系統１の電圧が低下する直前の出力電圧指令値となるようにしている。
【００２０】
ところで、上記の電力変換装置４において、電力変換器７が系統連系スイッチ３のオフアシスト制御のために、オフアシスト電圧を発生すると、系統連系スイッチ３には、フィルタ回路６のリアクトル及びコンデンサの各定数、さらに変圧器５の漏れリアクタンスにより形成される回路の伝達関数により変換された電圧波形が印加されることになる。この変換された電圧波形は、フィルタ回路６のリアクトルとコンデンサといった振動回路を通じて印加されるので、振動波形となる。
【００２１】
一般的に、フィルタ回路６はスイッチングに伴って発生する高調波を減衰させるための交流フィルタなので、通常運転時の損失低減を図るべく、特有の共振周波数を持っている。したがって、オフアシスト制御に際して電力変換器７の出力電圧をステップ状に変化させた場合、フィルタ回路６の共振を誘発し、過電圧が生じることになる。特に、電力変換装置４が大容量である場合、極力、損失が低減するようにスイッチング周波数を低く設定しているので、スイッチング周波数の高調波を除去するためのフィルタ容量を大きくしている。したがって、ダンピングが効きにくいといった短所が顕著となり、フィルタ共振並びに過電圧が発生し易い環境となっていた。
【００２２】
そこで、比較的大きなフィルタ回路６を持つ電力変換装置４においては、フィルタ共振による過電圧の発生を抑えることが望まれている。このようなニーズを満たすために、上述の特許文献１に係る電力変換装置４では、変換器制御回路２３に組み込まれているオフアシスト制御回路１５が、極性判定回路１６と、矩形波発生回路３７と、逆関数回路１８とから構成されている点に特徴がある（図６に図示）。
【００２３】
極性判定回路１６は、電流検出器１０によって得られた系統連系スイッチ電流信号２６から系統連系スイッチ３に流れる電流の極性を判定する回路である。矩形波発生回路３７は、極性判定回路１６の判定した系統連系スイッチ３の電流極性に基づいて電力変換器７が発生することができる最大電圧値を固定値として設定し、矩形波を発生させる回路である。逆関数回路１８は、電力変換器７の出力点から系統連系スイッチ３までの伝達関数の逆関数を選定して前記固定値に乗算し、この値を電力変換器７の出力電圧指令値とする回路である。
【００２４】
以上のようなオフアシスト制御回路１５を備えた電力変換装置によれば、矩形波発生回路３７の後段に逆関数回路１８を設けたことで、逆関数回路１８の伝達関数として、フィルタリアクトルなどの主回路で決まる伝達関数の逆関数を選定することができる。これにより、最終的に系統連系スイッチ３に印加される電圧を、負荷電圧の過渡状態における変動を抑制する電圧波形とすることができる。その結果、オフアシスト制御を効果的にかけることができる。しかも、フィルタの共振による過電圧の発生を確実に防止でき、負荷２への悪影響を最小限に抑えることが可能となる。
【特許文献１】特開２００６−１６６５８５号公報
【発明の開示】
【発明が解決しようとする課題】
【００２５】
ところで、オフアシスト制御を行う電力変換装置では、オフアシストを如何に効果的に掛けるかが課題となっている。また、上記の従来技術にて述べたように、オフアシスト制御回路１５内部に矩形波発生回路３７が組み込まれている場合、矩形波発生回路３７では、系統連系スイッチ３を流れる電流の極性判定に対応して、電力変換器７の発生可能な最大電圧値を固定値として設定していた。
【００２６】
このため、系統事故検出回路１２による系統事故の検出後、制御モード切替回路２１によってオフアシスト制御モードから自立運転制御モードに移行する間、負荷電圧の変動が大きくなった。負荷電圧の変動が大きければ、電力変換部４０の変圧器５が磁気飽和し、電力変換器７の出力電流が過電流となる可能性がある。過電流が発生すると、電力変換器７がゲートブロックを繰返すことになり、最悪の場合、電力変換器７が停止に至るおそれがあった。
【００２７】
本発明は、上述した課題を解決するためになされたものであり、その目的は、オフアシストを効果的に掛けると共に、オフアシスト制御中の負荷電圧における変動を抑制して、過電流の発生を防いで優れた安全性を獲得する電力変換装置を提供することにある。
【課題を解決するための手段】
【００２８】
上記目的を達成するために、本発明は、系統連系スイッチを介して電力系統と接続された負荷と並列に接続された電力変換装置であって、前記電力系統の電圧を検出する系統電圧検出手段と、前記電力系統と連系運転を行う電力変換器と、前記電力変換器の直流側に接続された直流電源と、前記電力系統の異常を検出して前記系統連系スイッチに開放指令を与える手段と、前記系統連系スイッチに流れる電流を検出するスイッチ電流検出手段と、前記電力変換器の出力電圧を制御するオフアシスト制御手段が設けられた電力変換装置において、前記オフアシスト制御手段は、前記スイッチ電流検出手段によって得られた前記系統連系スイッチに流れる電流の極性を判定する極性判定部と、前記極性判定部の判定した電流の極性に基づいて、前記電力変換器の出力可能な最大電圧値を超えないように、前記電力変換器の出力可能な最大電圧値に０から１までの範囲の所定の実数であるオフアシスト制御係数を掛け合わせて乗算値を求め、この乗算値と前記系統電圧検出手段にて検出した系統電圧検出値とを加算してオフアシスト電圧指令値を生成するオフアシスト電圧指令値生成部と、前記電力変換器の出力点から前記系統連系スイッチまでの逆関数を、前記オフアシスト電圧指令値生成部にて生成した前記オフアシスト電圧指令値に乗算して前記電力変換器の出力電圧指令とする逆関数部から構成されたことを特徴とするものである。
【００２９】
上記の構成を有する本発明では、オフアシスト制御手段のオフアシスト電圧指令値生成部において、電力変換器が出力可能な最大電圧値に対しオフアシスト制御係数（０から１までの実数）を乗算して、最大電圧値よりも小さい乗算値を求め、この乗算値と系統電圧検出値とを加算して、電力変換器の出力可能な最大電圧値を超えないようにオフアシスト電圧指令値を生成している。したがって、オフアシスト制御回路１５にて生成されるオフアシスト電圧指令値を固定値としていた従来技術に比べて、設定オフアシスト制御モードの開始時点から自立運転制御に移行するまでの間の、負荷電圧の変動を非常に小さい範囲に抑えることが可能である。これにより、電力変換器の出力電流が過電流となる心配がなく、ゲートブロックの繰返しによる機器の動作停止を回避することができる。
【発明の効果】
【００３０】
本発明の電力変換装置によれば、電力変換器の最大電圧値に対し０から１までの実数であるオフアシスト制御係数を乗算し、この乗算値と系統電圧検出値とを加算してオフアシスト電圧指令値を生成するといったことにより、オフアシスト制御中の負荷電圧変動を抑制可能であり、これにより過電流の発生を防いで、安全性の向上を図ることができた。
【発明を実施するための最良の形態】
【００３１】
以下、本発明に係る電力変換装置の代表的な実施形態について、図面を参照して具体的に説明する。下記の実施形態はいずれも、図６に示した従来技術と同様、オフアシスト制御手段を具備した電力変換装置である。そのため、従来技術と同一の部材に関しては同一符号を付して説明は省略する。
【００３２】
（１）第１の実施形態
［構成］
図１のブロック図を用いて、第１の実施形態について説明する。第１の実施形態の構成上の特徴は、図１に示すように、オフアシスト制御回路１５において極性判定回路１６の後段に、図６の矩形波発生回路に替えて、オフアシスト電圧指令値生成回路１７が設けられている点にある。
【００３３】
オフアシスト電圧指令値生成回路１７は、電圧検出器９にて検出した電力系統１の系統電圧信号２４の電圧値Ｖｓと、電力変換器７の出力可能な最大電圧値Ｖｍａｘと、オフアシスト制御係数ｋ（ｋは実数で、０＜ｋ＜１）とを入力する。そして、極性判定回路１６の判定した系統連系スイッチ３に流れる電流の極性に基づいて、電力変換器７の出力可能な最大電圧値Ｖｍａｘを超えないように、最大電圧値Ｖｍａｘと、オフアシスト制御係数ｋとを掛け合わせ、この乗算値に系統電圧信号２４の電圧値Ｖｓを加算して、オフアシスト電圧指令値Ｖｏｆｆａｓｓを求める。
【００３４】
より詳しくは、極性判定回路１６の判定する電流極性信号が正の場合、オフアシスト電圧指令値生成回路１７の求めるＶｏｆｆａｓｓは、次式（１）で決まる。
（数１）
Ｖｏｆｆａｓｓ = Ｖｓ ＋Ｖｍａｘ  ×  ｋ…（１） 
【００３５】
極性判定回路１６の判定する電流極性信号が零の場合、オフアシスト電圧指令値生成回路１７は、次式（２）で決まるオフアシスト電圧指令値Ｖｏｆｆａｓｓを生成し、出力する。
（数２）
Ｖｏｆｆａｓｓ = Ｖｓ…（２） 
【００３６】
極性判定回路１６の判定する電流極性信号が負の場合、オフアシスト電圧指令値生成回路１７は、次式（３）で決まるオフアシスト電圧指令値Ｖｏｆｆａｓｓを生成し、出力する。
（数３）
Ｖｏｆｆａｓｓ = Ｖｓ −Ｖｍａｘ  ×  ｋ…（３）
【００３７】
［作用効果］
以上の構成を有する第１の実施形態は、次のような作用効果を有している。すなわち、オフアシスト電圧指令値生成回路１７では、電力変換器７の出力可能な最大電圧値Ｖｍａｘを固定値として設定するのではなく、電力変換器７の出力可能な最大電圧値Ｖｍａｘを超えないように、最大電圧値Ｖｍａｘとオフアシスト制御係数ｋとを掛け合わせ、この乗算値に系統電圧信号２４の電圧値Ｖｓを加えてオフアシスト電圧指令値Ｖｏｆｆａｓｓを生成しているので、オフアシスト制御モードの開始時点から自立運転制御に移行するまでの間、負荷電圧の変動を小さく抑えることができる。したがって、電力変換器７の出力電流が過電流となるおそれがなく、ゲートブロックの繰返しによる停止もなく、高い安全性・信頼性を確保することができる。
【００３８】
（２）第２の実施形態
［構成］
続いて、図２のブロック図を用いて、第２の実施形態について説明する。第２の実施形態では、系統連系スイッチオフ状態検出回路１４に特徴がある。すなわち、第２の実施形態の系統連系スイッチオフ状態検出回路１４では、電圧検出器９、１１から系統電圧信号２４及び負荷電圧信号２５を入力することなく、電流検出器１０から系統連系スイッチ電流信号２６のみを入力し、この系統連系スイッチ電流信号２６が所定値以下になった時、事故t1において系統連系スイッチ３のオフ状態を検出するようになっている。
【００３９】
そして、系統連系スイッチオフ状態検出回路１４は、系統連系スイッチ３のオフ状態を検出すると、系統連系スイッチオフ状態信号３０を制御モード切替回路２１に出力する。この時、制御モード切替回路２１は、系統連系スイッチオフ状態信号３０を受けてオフアシスト制御モードから自立運転制御モードに制御モードを切り替え、このモード切替により負荷電圧が回復する。
【００４０】
［作用効果］
以上のような第２の実施形態では、電流検出器１０から所定値以下の系統連系スイッチ電流信号２６を入力するだけで、系統連系スイッチオフ状態検出回路１４は系統連系スイッチ３が遮断されたことを容易に検出することができる。したがって、効果的なタイミングでオフアシストを掛けることができる。と同時に、負荷電圧の過渡状態における電圧変化を抑制することが可能であり、過電圧などの発生で負荷２に悪影響を与えることが無い。
【００４１】
（３）第３の実施形態
［構成］
次に、図３のブロック図を参照して、第３の実施形態について説明する。図３に示すように、第３の実施形態ではオフアシスト制御回路１５において極性判定回路１６は省かれており、さらに、オフアシスト電圧指令値生成回路１７に対し、電圧検出器９の検出電圧Ｖｓを入力する代わりに、系統連系スイッチ電流信号２６を入力し、Ｖｍａｘ、ｋも省く。そして、図４に示すように、オフアシスト電圧指令値生成回路１７は、入力した系統連系スイッチ電流信号２６の電流値Ｉｓを電流基準値±ΔＩと比較することにより、オフアシスト電圧指令値Ｖｏｆｆａｓｓを下記の規則に従って、決定し出力する。
【００４２】
すなわち、Ｉｓ＜−ΔＩの場合、Ｖｏｆｆａｓｓ= −１とする。
また、−ΔＩ＜Ｉｓ＜ ΔＩの場合、Ｖｏｆｆａｓｓ= ０とする。
さらに、Ｉｓ＞ΔＩの場合、Ｖｏｆｆａｓｓ= １とする。
【００４３】
一方、系統連系スイッチオフ状態検出回路１４は、系統連系スイッチ３がオフになったと判断した相に対しては、系統連系スイッチオフ状態検出信号３０を系統連系スイッチ３の対応する相がオフ状態になったことを示すフラグの状態に設定して出力する。そして、制御モード切替回路２１は、オフアシスト期間中に、系統連系スイッチオフ状態検出回路１４からオフ状態の信号を受け取った相に対しては、電圧指令を０に固定する。なお、その他の相に対しては、オフアシスト制御回路１５が出力する信号を電圧指令として使用する。
【００４４】
［作用効果］
このような第３の実施形態によれば、系統連系スイッチ３の内、遮断が完了した相に対して電圧指令を０に固定するので、不必要なオフアシスト制御を継続して作用することが無い。したがって、オフアシストが効果的に掛けられると共に、負荷電圧の過渡状態における電圧変化を抑制可能である。したがって、前記第２の実施形態と同様、過電圧などの発生による負荷２への悪影響を抑えることができる。
【００４５】
（４）第４の実施形態
［構成］
第４の実施形態における制御モード切替回路２１は、次の点に特徴がある（構成図に関しては第３の実施形態と等しいため、前記図３参照）。すなわち、オフアシスト期間中に、系統連系スイッチオフ状態検出回路１４から系統連系スイッチオフ状態信号３０を受け取った相に対して、制御モード切替回路２１は、自立運転後に移行する電圧指令を出力する。また、その他の相に対しては、オフアシスト制御回路１５が出力する信号を電圧指令として使用する。
【００４６】
［作用効果］
以上のような第４の実施形態によれば、系統連系スイッチ３の内、遮断が完了した相に対してのみ、自立運転モードにおいて必要となる電圧指令によって制御することができる。したがって、オフアシストが効果的に掛けられると同時に、負荷電圧の過渡状態における電圧変化を抑制できる。つまり、前記第２、第３の実施形態と同じく、過電圧の発生を防止でき、負荷２へ悪影響を与える心配が無い。
【００４７】
（５）第５の実施形態
［構成］
次に、本発明に係る電力変換装置の第５の実施形態について、図５のブロック図を用いて説明する。図５におけるサイリスタ制御回路１３は、他の制御機能の部分とは別の基板に実装されている。この場合、系統事故検出回路１２から、サイリスタ制御回路１３まで、系統事故信号２８が伝送されるまでにある程度の時間が掛かる。
【００４８】
すなわち、サイリスタ制御回路１３だけを別基板に実装した場合に、制御遅れが生じかねない。そこで、第５の実施形態では、オフアシスト制御を有効に作用させるべく、サイリスタ制御回路１３から系統連系スイッチ３に対し系統連系スイッチオフ状態信号３０を出力するのと同時に、制御モード切替回路２１にオフ信号受信完了信号３２を出力するものとする。
【００４９】
このような本実施の形態によれば、サイリスタ制御回路１３が、その他の制御機能と別基板に実装された場合であっても、系統事故検出回路１２からオフ信号を受信すると同時に、制御モード切替回路２１にオフ信号受信完了信号３２を出力するので、オフ信号受信完了信号３２を入力した制御モード切替回路２１は、直ちにパルス制御回路２２に出力電圧指令値２７を出力することができる。したがって、オフアシストを効果的に掛けることができ、負荷電圧の過渡状態における電圧変化を抑制することが可能となる。これにより、過電圧などの発生で負荷２に悪影響を与えることが無い。
【００５０】
（６）他の実施形態
なお、本発明は以上の実施形態に限定されるものではなく、各実施形態の組合せは適宜自由であり、各回路の構成等も適宜変更可能である。
【図面の簡単な説明】
【００５１】
【図１】本発明に係る第１の実施形態のブロック図。
【図２】本発明に係る第２の実施形態のブロック図。
【図３】本発明に係る第３及び第４の実施形態のブロック図。
【図４】第３の実施形態の要部説明図。
【図５】本発明に係る第５の実施形態のブロック図。
【図６】従来の電力変換装置のブロック図。
【図７】電力変換装置の動作を表すタイムチャート。
【符号の説明】
【００５２】
１…電力系統
２…負荷
３…系統連系スイッチ
４…電力変換装置
５…変圧器
６…フィルタ回路
７…電力変換器
８…直流電源
９…電圧検出器
１０…電流検出器
１１…電圧検出器
１２…系統事故検出回路
１３…サイリスタ制御回路
１４…系統連系スイッチオフ状態検出回路
１５…オフアシスト制御回路
１６…極性判定回路
１７…オフアシスト電圧指令値生成回路
１９…系統連系運転制御回路
２０…自立運転制御回路
２１…制御モード切替回路
２２…パルス制御回路
２３…変換器制御回路
２４…系統電圧信号
２５…負荷電圧信号
２６…系統連系スイッチ電流信号
２７…出力電圧指令値
２８…系統事故信号
２９…系統連系スイッチオンオフ指令
３０…系統連系スイッチオフ状態信号
３２…オフ信号受信完了信号
４０…電力変換部
【図１】
0004886621.tif 000002
【図２】
0004886621.tif 000003
【図３】
0004886621.tif 000004
【図４】
0004886621.tif 000005
【図５】
0004886621.tif 000006
【図６】
0004886621.tif 000007
【図７】
0004886621.tif 000008